(57)【要約】【課題】山形鋼材で形成された鉄塔の主柱の外側に着脱自在に取り付け可能で、さらに鉄塔の上部まで運んで簡単に着脱することが可能な鉄塔用簡易型足場を提供する。【解決手段】簡易型足場１は、略三角柱形状の足場本体２と、足場本体２を主柱１０１の側端縁に係止する第１の支持アーム３Ａ、３Ｂおよび第２の支持アーム４Ａ、４Ｂと、足場本体２の自由端側から立ち上げられた側壁部材５と、側壁部材５を主柱１０１に固定する背もたれバー６と、足場本体２を主柱１０１から吊り下げるワイヤ７とを備えている。主柱１０１の側面１０１ａから鉄塔の外側に向けて水平に延ばされた踏板部２２は、支持部２３によって下方から支持され、ワイヤ７によって吊り下げられ、複数の支持アームによって主柱１０１に固定される。【選択図】図３
2018193731.tif 000002
【特許請求の範囲】
【請求項１】
山形鋼材で形成された鉄塔の主柱に着脱自在に取り付けられる簡易型足場であって、
前記主柱の外側の側面に当接される当接部と、前記当接部の上端側に連結されて前記主柱の側面から前記鉄塔の外側に向けて水平方向に延ばされる踏板部と、前記当接部の下端側と前記踏板部の自由端側とに連結されて前記踏板部を下方から支える支持部と、を備える足場本体と、
前記足場本体から延ばされて、前記主柱の一方の側端縁に係止される第１の支持アームと、
前記足場本体から延ばされて、前記主柱の他方の側端縁に係止される第２の支持アームと、
を備えることを特徴とする鉄塔用簡易足場。
【請求項２】
前記踏板部の自由端側に連結されて、上方に向けて立ち上げられた側壁部材と、
前記側壁部材から前記主柱に向けて延ばされて、前記主柱の他方の側端縁に係止される第３の支持アームと、
前記側壁部材に一端が連結され、前記主柱に設けられたステップボルトに他端が掛けられる索体と、
を備えることを特徴とする請求項１に記載の鉄塔用簡易足場。
【請求項３】
前記足場本体は、その輪郭形状を棒状のフレーム材で構成したフレーム構造をしている、
ことを特徴とする請求項１または２に記載の鉄塔用簡易足場。
【請求項４】
前記踏板部は、前記フレーム材の間にメッシュ部材が配設されている、
ことを特徴とする請求項３に記載の鉄塔用簡易足場。
【発明の詳細な説明】
【技術分野】
【０００１】
本発明は、山形鋼材で形成された鉄塔の主柱に着脱自在に取り付けられる簡易型足場に関する。
【背景技術】
【０００２】
鉄塔間に敷設される送電線は、熱膨張に伴う長さの変化を考慮して適度な弛みをもたせている。送電線の弛み具合（弛度）は、鉄塔間の距離などによって異なるので、送電線の敷設に際しては鉄塔間毎に送電線の弛度を観測する弛度観測と、その観測結果に基づいて弛度を調整する弛度調整とが行われる。
【０００３】
弛度観測では、一方の鉄塔に上った作業者が、他方の鉄塔に付した基準点の高さと、送電線の弛みの最下点の高さとが一致しているかを高さ水準観測器を用いて観測し、その観測結果を地上の作業者に伝達する。地上の作業者は、観測結果に応じて送電線に連結されたウィンチを操作し、送電線の弛度を調整する。したがって、鉄塔上の作業者は、弛度調整が完了するまで鉄塔上で待機しなければならない。
【０００４】
送電線を支持する送電鉄塔には、主柱（メインポスト）を等辺山形鋼材（アングル材）で構成した、いわゆるアングル鉄塔と呼ばれるものがある。この主柱の外側の側面には、作業用の足場となるステップボルトが所定間隔で設けられている。弛度観測時の作業者は、このステップボルトに足を掛け、さらに腰などに装着した安全帯で身体を主柱に固定して鉄塔上で待機している。
【０００５】
しかしながら、弛度調整に時間がかかってしまった場合、鉄塔上の作業者は長時間にわたって窮屈な姿勢で待機しなければならないので、身体的負荷が非常に大きくなり、墜落事故などの危険性が増大してしまう。また、身体的負担から観測作業が不正確になり、観測結果に誤りが生じる可能性もある。待機時間が極端に長くなった場合には、作業者はいったん鉄塔を降りる場合があるが、この昇降作業が身体的疲労をさらに増大させ、高所作業における災害リスクを増大させてしまう。
【０００６】
ところで、鉄塔や電柱上に着脱自在に取り付け可能な仮設の足場が従来から知られている。このような仮設の足場を利用すれば、弛度観測のために鉄塔上で待機する作業者の安全性が確保できる。例えば、特許文献１には、主柱のステップボルトと、主柱間に配設された補強用の斜材とに取り付けて作業者が座れるようにした簡易休憩器具が開示されている。また、特許文献２には、鉄塔のアーム上に複数の床パネルからなる仮設ステージを設置することが開示されている。さらに、特許文献３には、電柱などの柱状構造物に片持ち梁状に支持される踏板と、この踏板を下方から支える支持部材とを備えた柱上作業台が開示されている。
【先行技術文献】
【特許文献】
【０００７】
【特許文献１】特開２００８−１１５５７０号公報
【特許文献２】実開平０４−０１４４１３号公報
【特許文献３】特開２０１１−２３９５８８号公報
【発明の概要】
【発明が解決しようとする課題】
【０００８】
弛度観測は、高さ水準観測器によって、送電線と隣の鉄塔の基準点とを観察しなければならないので、複数の主柱で囲まれた塔体内で観測作業を行うと、主柱間を連結する斜材や横材が邪魔になる。そのため、弛度観測は塔体内ではなく、主柱の外側、すなわち塔体外で行うことが望ましい。しかしながら、特許文献１の簡易休憩器具は、塔体内に設置されるので、弛度観測には不向きである。
【０００９】
特許文献２の仮設ステージは、広いスペースが得られることから、大規模な鉄塔工事における長期的な利用には向いているが、弛度観測のように小規模で短期間に行われる作業に利用するには設備として過剰である。また、仮説ステージの部品を鉄塔上まで簡単に運ぶことができず、着脱も容易ではないので、やはり弛度観測には不向きである。
【００１０】
特許文献３の柱上作業台は、塔体外に設置可能で構造も簡単なことから弛度観測に向いているが、電柱に対する取り付け構造しか開示されていないので、アングル鉄塔にそのまま適用することはできない。
【００１１】
本発明は、上記課題を解決するために、山形鋼材で形成された鉄塔の主柱の外側に着脱自在に取り付け可能で、さらに鉄塔の上部まで運んで簡単に着脱することが可能な鉄塔用簡易型足場を提供することを目的とする。
【課題を解決するための手段】
【００１２】
上記課題を解決するために、請求項１に記載の発明は、山形鋼材で形成された鉄塔の主柱に着脱自在に取り付けられる簡易型足場であって、前記主柱の外側の側面に当接される当接部と、前記当接部の上端側に連結されて前記主柱の側面から前記鉄塔の外側に向けて水平方向に延ばされる踏板部と、前記当接部の下端側と前記踏板部の自由端側とに連結されて前記踏板部を下方から支える支持部と、を備える足場本体と、前記足場本体から延ばされて、前記主柱の一方の側端縁に係止される第１の支持アームと、前記足場本体から延ばされて、前記主柱の他方の側端縁に係止される第２の支持アームと、を備えることを特徴とする。
【００１３】
請求項１に記載の発明によれば、足場本体の当接部を主柱の外側の側面に当接させた状態で、第１の支持アームと第２の支持アームとを主柱の両側端縁に係止することにより、踏板部が主柱の側面から鉄塔の外側に向けて水平に延ばされた簡易型足場が形成される。
【００１４】
請求項２に記載の発明は、請求項１に記載の鉄塔用簡易足場であって、前記踏板部の自由端側に連結されて、上方に向けて立ち上げられた側壁部材と、前記側壁部材から前記主柱に向けて延ばされて、前記主柱の他方の側端縁に係止される第３の支持アームと、前記側壁部材に一端が連結され、前記主柱に設けられたステップボルトに他端が掛けられる索体と、を備えることを特徴とする。
【００１５】
請求項３に記載の発明は、請求項１または２に記載の鉄塔用簡易足場であって、前記足場本体は、その輪郭形状を棒状のフレーム材で構成したフレーム構造をしている、ことを特徴とする。
【００１６】
請求項４に記載の発明は、請求項３に記載の鉄塔用簡易足場であって、前記踏板部は、前記フレーム材の間にメッシュ部材が配設されている、ことを特徴とする。
【発明の効果】
【００１７】
請求項１に記載の発明によれば、簡易型足場を、足場本体、第１の支持アーム、第２の支持アームという簡素かつ簡単な構成としたので、鉄塔の上部まで簡単に運ぶことが可能である。また、足場本体から延ばされた第１および第２の支持アームを利用して主柱に取り付けるようにしたので、鉄塔上部などの作業環境が悪い場所でも容易に取り付けおよび取り外し作業を行うことが可能である。さらに、主柱から水平に延ばされた踏板部を、主柱から斜めに延ばされた支持部によって下方から支えるとともに、複数の支持アームで主柱に固定するようにしたので、踏板部に乗った作業者をしっかりと支えることが可能である。
【００１８】
請求項２に記載の発明によれば、足場本体の自由端側に上方に向かって立ち上げられた側壁部材を設けたので、作業者が踏板部の上で移動する際や、立ち上がる際の手摺りとして利用することができ、作業者の安全性がさらに向上する。また、側壁部材から主柱に向けて延ばされた第３の支持アームを主柱の側端縁に係止するようにしたので、第３の支持アームを背もたれとしても利用することができ、作業者が楽な姿勢で待機できるようにし、安全の向上を図ることが可能となる。さらに、側壁部材に連結された索体を主柱のステップボルトに掛けて足場本体を吊り下げるようにしたので、足場本体の耐荷重性が向上し、作業者の安全性がさらに高まる。また、簡易型足場を主柱に取り付ける際に、先に索体をステップボルトに掛けておけば、簡易型足場が誤って落下するのを防ぐことも可能である。
【００１９】
請求項３に記載の発明によれば、足場本体の当接部、踏板部および支持部をフレーム材によって形成し、足場本体をフレーム構造にしたので、強度が向上し、板材などを利用して形成する場合に比べて軽量化が可能である。
【００２０】
請求項４に記載の発明によれば、踏板部を構成するフレーム材の間にメッシュ部材を配設したので、横フレーム材だけで踏板部を構成する場合に比べて踏板部の面積を広くすることが可能であり、作業者や工具の落下を防ぐことが可能である。また、踏板部を板材などで形成する場合に比べて軽量化が可能である。
【図面の簡単な説明】
【００２１】
【図１】この発明の実施の形態１に係る簡易型足場が取り付けられた鉄塔の側面図および水平方向の断面図である。
【図２】実施の形態１に係る簡易型足場の斜視図である。
【図３】図２の簡易型足場が主柱に取り付けられた状態を示す斜視図である。
【図４】図２の簡易型足場を矢印Ａ方向から見た側面図である。
【図５】図２の簡易型足場を上方から見た平面図である。
【図６】図２の第１の支持アームに設けられた支持部を示す平面図である。
【図７】図２の第２の支持アームを示す平面図である。
【発明を実施するための形態】
【００２２】
以下、この発明を図示の実施の形態に基づいて説明する。
【００２３】
図１ないし図７は、この発明の実施の形態を示し、図１（Ａ）は、この実施の形態の簡易型足場１が取り付けられた鉄塔１０を示す側面図であり、同図（Ｂ）は、鉄塔１０の水平方向断面図である。
【００２４】
鉄塔１０は、送電線（図示せず）を支持する送電鉄塔であり、正方形の敷地の四隅に、対角線方向で内側に向かってわずかに倒れるように立設された４本の主柱１０１と、隣り合う主柱１０１間を連結する複数の横材１０２および斜材１０３とを備えている。鉄塔１０の上部には、送電線を支持するために水平方向に張り出されたアーム部（図示せず）が設けられている。この鉄塔１０は、主柱１０１が等辺山形鋼材（アングル材）によって形成されたアングル鉄塔であり、主柱１０１の側面１０１ａが外側を向くように配設されている。側面１０１ａには、作業用の足場として利用されるステップボルト１０１ｂが所定の間隔で設けられている。ここで、本実施の形態では、鉄塔１０の主柱１０１で囲まれた領域を塔体内と呼び、その外側を塔体外という。
【００２５】
簡易型足場１は、作業者Ｗ（図３参照）が鉄塔１０の上で送電線の弛度観測を行う際に使用される足場である。この簡易型足場１は、弛度観測を行う際に横材１０２や斜材１０３が邪魔にならないように、主柱１０１の外側の側面１０１ａに水平方向に張り出すように取り付けられている。
【００２６】
図２は、簡易型足場１の斜視図を示し、図３は、主柱１０１に取り付けられた簡易型足場１の斜視図を示している。また、図４は、簡易型足場１を図２の矢印Ａ方向から見た側面図であり、図５は、簡易型足場１を上方から見た平面図である。
【００２７】
簡易型足場１は、略三角柱形状の足場本体２と、この足場本体２を主柱１０１の一方の側端縁１０１ｃに係止する２本の第１の支持アーム３Ａ、３Ｂと、他方の側端縁１０１ｄに係止する第２の支持アーム４Ａ、４Ｂと、足場本体２の端部（自由端）から上方に向けて立設された側壁部材５と、作業者Ｗの背もたれとして利用される背もたれバー（第３の支持アーム）６と、足場本体２を主柱１０１から吊り下げるワイヤ（索体）７とを備える。
【００２８】
足場本体２は、側面から見た形状が三角形で、主柱１０１の幅方向（水平方向）に厚みが与えられた略三角柱形状をしている。この足場本体２は、その輪郭形状を棒状のフレーム材で構成したフレーム構造をしている。フレーム材は、足場本体２の強度を維持して軽量化を図るために、例えばアルミ製の角パイプなどで構成されており、溶接などで強固に連結されている。
【００２９】
足場本体２は、主柱１０１の塔体外の側面１０１ａに当接される枠状の当接部２１と、当接部２１の上端側に連結されて主柱１０１の側面１０１ａから水平方向に延ばされる枠状の踏板部２２と、当接部２１の下端側と踏板部２２の自由端側とに連結されて踏板部２２を下方から支える枠状の支持部２３とを備えている。踏板部２２は、作業者が座るための座面、あるいは作業者が立ち上がるためのフロアとして機能する。
【００３０】
当接部２１は、主柱１０１の長手方向（上下方向）に沿って平行に配された２本の縦フレーム材Ｆｖ１、Ｆｖ２と、この縦フレーム材Ｆｖ１とＦｖ２との間を連結する２本の平行な連結フレーム材Ｆｊ１、Ｆｊ２とから構成されている。踏板部２２は、縦フレーム材Ｆｖ１、Ｆｖ２の上端側に連結されて主柱１０１の側面１０１ａから水平方向に平行に延ばされた２本の横フレーム材Ｆｈ１、Ｆｈ２と、この横フレーム材Ｆｈ１、Ｆｈ２の間を連結する２本の平行な連結フレーム材Ｆｊ２、Ｆｊ３とから構成されている。支持部２３は、縦フレーム材Ｆｖ１、Ｆｖ２の下端側と横フレーム材Ｆｈ１、Ｆｈ２の自由端側とに連結されて横フレーム材Ｆｈ１、Ｆｈ２を下方から支える２本の平行な斜行フレーム材Ｆｓ１、Ｆｓ２と、この斜行フレーム材Ｆｓ１、Ｆｓ２の間を連結する２本の平行な連結フレーム材Ｆｊ１、Ｆｊ３とから構成されている。
【００３１】
踏板部２２を構成する横フレーム材Ｆｈ１、Ｆｈ２の間には、踏板部２２に乗った作業者や工具などの落下を防ぐために、例えばアルミ製のメッシュ部材Ｍｓが取り付けられている。また、縦フレーム材Ｆｖ１、Ｆｖ２と、横フレーム材Ｆｈ１、Ｆｈ２と、斜行フレーム材Ｆｓ１、Ｆｓ２とで構成された三角形状のフレーム内には、足場本体２の強度を高めるためにトラス構造を形成する複数本の梁が設けられている。この梁も、アルミ製の角パイプで形成されている。
【００３２】
第１の支持アーム３Ａは、後端（一端）が足場本体２の縦フレーム材Ｆｖ１の上部側面に固定され、先端（他端）が主柱１０１の側端縁１０１ｃに向けて延ばされた板状部材である。第１の支持アーム３Ａの先端には、第１の支持アーム３Ａを主柱１０１の側端縁１０１ｃに係止する係止部８が設けられている。この係止部８は、図６に示すように、第１の支持アーム３Ａが略コ字状に屈曲されて主柱１０１の側端縁１０１ｃが挿入可能にされた挿入溝８１と、この挿入溝８１内に配された挟持板８２と、一端が挟持板８２に連結されて支持アーム３Ａに設けられたネジ孔８３に螺合したネジ軸８４と、ネジ軸８４の他端に設けられた操作ノブ８５とを備える。係止部８は、挿入溝８１に主柱１０１の側端縁１０１ｃが挿入されると、操作ノブ８５を回転させてネジ軸８４をネジ孔８３に沿って移動され、挟持板８２を主柱１０１に押し付けることにより、側端縁１０１ｃに係止される。
【００３３】
第１の支持アーム３Ｂは、後端（一端）が足場本体２の縦フレーム材Ｆｖ１の下部側面に固定されている以外は、第１の支持アーム３Ａと同様の構成を備えている。したがって、第１の支持アーム３Ｂに関する詳しい説明は省略する。
【００３４】
第２の支持アーム４Ａは、図７に示すように、足場本体２から主柱１０１の側端縁１０１ｄに向けて延ばされた板状部材であり、その先端には、側端縁１０１ｄに係止される係止部８が設けられている。この係止部８は、第１の支持アーム３Ａの支持部８と同様のものであるため、詳しい説明は省略する。
【００３５】
また、第２の支持アーム４Ａは、後端（一端）が足場本体２の縦フレーム材Ｆｖ２の上部側面に固定され、先端（他端）が主柱１０１の側端縁１０１ｄに向けて延ばされた角筒部材９内にスライド自在に挿入されている。角筒部材９の側面には、ネジ孔９１が設けられ、このネジ孔９１に螺合されたネジ軸９２と、ネジ軸９２を回転操作する操作ノブ９３とを備えている。したがって、角筒部材９内で第２の支持アーム４Ａをスライドさせ、操作ノブ９３を操作してネジ軸９２を第２の支持アーム４Ａに突き当てることにより、足場本体２に対する第２の支持アーム４Ａの突出長さを調整することができる。
【００３６】
第２の支持アーム４Ｂは、角筒部材９を利用して足場本体２の縦フレーム材Ｆｖ２の下部側面に固定されている以外は、第２の支持アーム４Ａと同様の構成を備えている。したがって、第２の支持アーム４Ｂに関する詳しい説明は省略する。
【００３７】
側壁部材５は、足場本体２と、背もたれバー６およびワイヤ７とを連結するための構造部品であり、作業者が踏板部２２の上で移動する際や、立ち上がる際の手摺りとしても機能する。この側壁部材５は、足場本体２の横フレーム材Ｆｈ１、Ｆｈ２の自由端側の側面に固定された２本の直立フレーム材Ｆｔ１、Ｆｔ２と、直立フレーム材Ｆｔ１、Ｆｔ２の間を連結する２本の連結フレーム材Ｆｊ４、Ｆｊ５とを備える。直立フレーム材Ｆｔ１、Ｆｔ２は、足場本体２に荷重が掛かった場合でも、踏板部２２側に倒れないように強固に足場本体２に固定されている。
【００３８】
背もたれバー６は、踏板部２２に座った作業者が背中をもたれかかるためのバーであり、足場本体２を主柱１０１に固定する第３の支持アームとしても機能する。背もたれバー６は、後端（一端）が側壁部材５の直立フレーム材Ｆｔ２の側面に固定され、先端（他端）が主柱１０１の側端縁１０１ｄに向けて延ばされた板状部材である。背もたれバー６の先端には、第１の支持アーム３Ａと同構成の係止部８が設けられている。
【００３９】
ワイヤ７は、一端が側壁部材５の直立フレーム材Ｆｔ１の側面上部に連結されており、他端には主柱１０１のステップボルト１０１ｂに掛けられる環状部７１が形成されている。ワイヤ７は、環状部７１がステップボルト１０１ｂに掛けられることで、側壁部材５を介して足場本体２を吊り下げる。
【００４０】
次に、上記の実施の形態の作用について説明する。作業者Ｗは、送電線の弛度観測を行う際に、簡易型足場１を持って鉄塔１０のステップボルト１０１ｂを上る。簡易型足場１は、足場本体２などがアルミ製の角パイプで構成されたフレーム構造をしているため比較的軽量であるため、一人でも容易に鉄塔１０上に運ぶことが可能である。
【００４１】
作業者Ｗは、弛度観測の観測位置まで鉄塔１０を上ると、腰に装着した安全帯の胴綱をステップボルト１０１ｂに掛けて身体を固定し、ワイヤ７の環状部７１をステップボルト１０１ｂに掛ける。これにより、簡易型足場が誤って落下するのを防ぐことが可能となる。
【００４２】
作業者Ｗは、第１の支持アーム３Ａ、３Ｂの係止部８を主柱１０１の側端縁１０１ｃに掛けてから、足場本体２の当接部２１を主柱１０１の側面１０１ａに当接させ、係止部８の操作ノブ８５を操作して第１の支持アーム３Ａ、３Ｂを側端縁１０１ｃに係止する。
【００４３】
次に、作業者Ｗは、第２の支持アーム４Ａ、４Ｂの長さを調整して主柱１０１の側端縁１０１ｄに掛け、係止部８の操作ノブ８５を操作して第２の支持アーム４Ａ、４Ｂを側端縁１０１ｃに係止する。最後に、背もたれバー６の係止部８を主柱１０１の側端縁１０１ｄに係止する。これにより、足場本体２は、主柱１０１の側面１０１ａに固定される。
【００４４】
その後、作業者Ｗは、簡易型足場１の踏板部２２に高さ水準観測器などを設置し、踏板部２２に着座して送電線の弛度観測を行う。弛度調節による待ち時間が長くなった場合には、作業者Ｗはこの簡易型足場１で待機することになるが、メッシュ部材Ｍｓにより踏板部２２が広くされ、背中をもたれる背もたれバー６や、手摺りとして利用可能な側壁部材５が設けられているので、従来よりも楽な姿勢で待機時間を過ごすことが可能となる。
【００４５】
以上で説明したように、上記の実施の形態によれば、簡易型足場１を、足場本体２、第１の支持アーム３Ａ、３Ｂ、第２の支持アーム４Ａ、４Ｂという簡素かつ簡単な構成としたので、鉄塔１０の上部まで簡単に運ぶことが可能である。また、足場本体２から延ばされた第１の支持アーム３Ａ、３Ｂおよび第２の支持アーム４Ａ、４Ｂを利用して主柱１０１に取り付けるようにしたので、作業環境が悪い鉄塔１０の上部でも容易に取り付けおよび取り外し作業を行うことが可能である。さらに、主柱１０１から水平に延ばされた踏板部２２を、主柱１０１から斜めに延ばされた支持部２３によって下方から支えるとともに、複数の支持アーム３Ａ、３Ｂ、４Ａ、４Ｂで主柱１０１に固定するようにしたので、踏板部２２に乗った作業者Ｗをしっかりと支えることが可能である。
【００４６】
また、足場本体２の自由端側に上方に向かって立ち上げられた側壁部材５を設けたので、作業者Ｗが踏板部２２の上で移動する際や、立ち上がる際の手摺りとして利用することができ、作業者Ｗの安全性がさらに向上する。また、側壁部材５から主柱１０１に向けて延ばされた背もたれバー（第３の支持アーム）６を主柱１０１の側端縁１０１ｄに係止するようにしたので、作業者Ｗが楽な姿勢で待機することができ、かつ安全の向上を図ることが可能となる。さらに、側壁部材５に連結されたワイヤ７（索体）を主柱１０１のステップボルト１０１ｂに掛けて足場本体２を吊り下げるようにしたので、足場本体２の耐荷重性が向上し、作業者Ｗの安全性がさらに高まる。また、簡易型足場１を主柱１０１に取り付ける際に、先にワイヤ７をステップボルト１０１ｂに掛けておけば、簡易型足場１が誤って落下するのを防ぐことも可能である。
【００４７】
また、足場本体２の当接部２１、踏板部２２および支持部２３をフレーム材によって形成し、足場本体２をフレーム構造にしたので、強度が向上し、板材などを利用して形成する場合に比べて軽量化が可能である。さらに、踏板部２２を構成する横フレーム材Ｆｈ１、Ｆｈ２の間にメッシュ部材Ｍｓを配設したので、横フレーム材Ｆｈ１、Ｆｈ２だけで踏板部２２を構成する場合に比べて踏板部２２の面積を広くすることが可能であり、作業者Ｗや工具の落下を防ぐことが可能である。また、踏板部２２を板材などで形成する場合に比べて軽量化が可能である。
【００４８】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、簡易型足場１の耐荷重性を高めるために、足場本体２に対し、第１の支持アーム３Ａ、３Ｂや第２の支持アーム４Ａ、４Ｂ、側壁部材５を溶接などによって強固に固定するようにしたが、例えばこれらの部品間の連結部分を回動自在にして、足場本体２に対して折り畳み可能にしてもよい。また、足場本体２の各フレーム材の端部を回動自在に連結して、足場本体２を折り畳み可能にしてもよい。
【符号の説明】
【００４９】
１              簡易型足場
２              足場本体
３Ａ、３Ｂ      第１の支持アーム
４Ａ、４Ｂ      第２の支持アーム
５              側壁部材
６              背もたれバー（第３の支持アーム）
７              ワイヤ（索体）
８              係止部
９              角筒部材
１０            鉄塔
１０１          主柱
【図１】
2018193731.tif 000003
【図２】
2018193731.tif 000004
【図３】
2018193731.tif 000005
【図４】
2018193731.tif 000006
【図５】
2018193731.tif 000007
【図６】
2018193731.tif 000008
【図７】
2018193731.tif 000009